【手続補正書】
【提出日】平成17年11月10日(2005.11.10)
【手続補正１】
【補正対象書類名】明細書
【補正対象項目名】特許請求の範囲
【補正方法】変更
【補正の内容】
【特許請求の範囲】
【請求項１】  医療用ラインを患者の身体に固定するための固定器具システム（８）であって、
患者の身体に固定器具を取り付けるために粘着層によって少なくとも部分的に被覆された取付け面と、
前記取付け面の遠位に配置された受入れ面（３６）と、
前記受入れ面を少なくとも部分的に被覆していて前記固定器具によって固定される医療用ラインの少なくとも１部分に接触させるために配置された粘着性部材（２４）と、
前記医療用ラインと相互作用し、且つ前記粘着性部材（２４）に対して医療用ラインの一部分を前記受入れ面（３６）上に配置するように構成された位置決め機構と、
を含む固定器具。
【請求項２】  前記粘着性部材（２４）が、前記固定される医療用ラインの部分によって完全に被覆されるようにサイズ設定され、
前記粘着性部材（２４）の形状が、前記固定される医療用ラインの部分の形状に概して適合する請求項１に記載の固定器具。
【請求項３】  前記粘着性部材（２４）が、前記固定される医療用ラインの部分によって完全に被覆されるようにサイズ設定されていて、概して平坦であり、
前記受入れ面（３６）が、前記医療用ラインの軸を前記固定器具の縦軸と概して整列させる方法で前記医療用ラインを受け入れるように配置され、
前記縦軸に平行に測定されたときの前記粘着性部材（２４）の長さが、前記縦軸に垂直かつ前記粘着性部材に概して平行に測定されたときの前記粘着性部材の幅より大きい請求項１に記載の固定器具。
【請求項４】  柔軟性アンカー・パッド（３２）をさらに備え、
前記取付け面が、前記アンカー・パッド（３２）の一方面上に画定され
前記受入れ面（３６）が、前記アンカー・パッド（３２）の他方面側から接近可能となっている請求項１〜３のいずれか１つに記載の固定器具。
【請求項５】  前記位置決め機構が、前記アンカー・パッド（３２）に形成された凹所（７４）を含む請求項４に記載の固定器具。
【請求項６】  前記凹所（７４）が、アンカー・パッド（３２）を貫通して延びており、
前記粘着性部材（２４）が、基質（７６）の少なくとも１部分の上方に少なくとも部分的に形成され、前記基質が前記凹所の一方面を覆うよう配置される請求項５に記載の固定器具。
【請求項７】  アンカー・パッド（３２）の上側に取り付けられた保持装置（３０）をさらに含み、
該保持装置が、受入れ面（３６）を有する位置決め機構を含み、前記受入れ面が、前記アンカー・パッド（３２）が取り付けられた面と反対側の保持装置（３０）の一方面で画定される請求項４に記載の固定器具。
【請求項８】  前記位置決め機構が、保持装置（３０）に形成された凹所（７２）を含み、前記凹所が保持装置（３０）を貫通して延びており、
前記粘着性部材（２４）が、凹所（７２）内で露出している部材（２４）の１部分とともにアンカー・パッド（３２）と保持装置（３０）との間に配置される請求項７に記載の固定器具。
【請求項９】  前記凹所の少なくとも１部分が、形状及びサイズにおいて医療用ラインの固定される部分に合致するように構成される請求項５又は８に記載の固定器具。
【請求項１０】  前記位置決め機構が、少なくとも１本のポスト（２８）を含む請求項７に記載の固定器具。
【請求項１１】  前記位置決め機構が、相互に間隔をあけて離れた少なくとも１対のポスト（２８）を含む請求項１０に記載の固定器具。
【請求項１２】  前記保持装置（３０）が、ポスト（２８）の間に配置された傾斜面を含み、
前記粘着性部材（２４）が、前記傾斜面上に配置される請求項１１に記載の固定器具。
【請求項１３】  前記位置決め機構が、前記受入れ面（３８）を有する受け台（４２）を含み、前記受入れ面（３８）は前記受け台（４２）内に形成されており、
前記粘着性部材（２４）が、前記受け台（４２）内に配置されて前記受入れ面（３８）の少なくとも１部分を被覆し、フォーム層が前記粘着性部材（２４）と前記受け台（４２）との間に挿入される請求項７に記載の固定器具。
【請求項１４】  前記位置決め機構が、前記受入れ面（３８）を有する受け台（４８）を含み、前記受入れ面（３８）は前記受け台（４８）内に形成され、
前記受け台が、前記医療用ラインの固定される部分によって画定される相補的輪郭面と一致するように構成された輪郭面を含む請求項７に記載の固定器具。
【請求項１５】  前記位置決め機構が、前記受入れ面（３８）を有する受け台（４８）を含み、前記受入れ面（３８）は前記受け台内に形成され、
前記受け台（４８）が、アーチ形チャネル（５２）を含む請求項７に記載の固定器具。
【請求項１６】  前記チャネル（５２）の表面の少なくとも１部分が、前記チャネルの中心軸の周囲で１８０°を越えて伸張しており、
前記チャネル（５２）が、先細の切頭円錐形表面を有する請求項１５に記載の固定器具。
【請求項１７】  前記チャネル（５２）の表面の少なくとも１部分が、前記チャネルの中心軸の周囲で１８０°を越えて伸張しており、
前記受け台（４８）が、少なくとも開放位置と閉鎖位置との間で相互に関連した側面の運動を許容するために前記チャネルの側面（５０）を相互連結する柔軟性結合具（５４）を含む請求項１５に記載の固定器具。
【請求項１８】  前記柔軟性連結具（５４）が、前記医療用ラインの１部分が前記チャネル（５２）内で前記柔軟性結合具（５４）に押し付けられると前記チャネルの側面が開放位置から閉鎖位置へ動くのを惹起する作動装置機構を含む請求項１７に記載の固定器具。
【請求項１９】  前記保持装置（３０）が、ベース（３４）と該ベースから上向きに延びる隆起台（４０）とを含み、
前記受入れ面（３６）が、前記隆起台（４０）上で画定される請求項７に記載の固定器具。
【請求項２０】  前記保持装置（３０）が、ベース（３４）と該ベース（３４）上で互いに間隔をあけて離れた１対のラッチ（６２）とを含み、
前記粘着性部材（２４）が、前記ラッチ（６２）の間に配置される請求項７に記載の固定器具。
【請求項２１】  各ラッチ（６２）が、
他のラッチに向かって突き出ているタング（６４）と、
前記ベース（３４）の上方にタング（６４）を吊り下げる略直立のサポート（６６）と、
前記ベース（３4）上方の１点でサポート（６６）に取り付けられる作動装置（６８）と、を含み、
前記ベースへ向かって前記作動装置（６８）を動かすことで前記サポートの屈曲を誘発して前記タング（６４）を他のラッチ（６２）から遠くへ動かすようになっている請求項２０に記載の固定器具。
【請求項２２】  各サポート（６６）が、細長い形状を有し、
前記サポートが、当該サポート（６６）と前記ベース（３４）との間で略矩形のチャネル（７０）を画定するように相互に略平行に前記ベース（３４）上に配置される請求項２１に記載の固定器具。
【請求項２３】  前記チャネル（７０）が、前記医療用ラインの固定される部分を受入れるようにサイズ設定され、
前記ラッチ（６２）が、前記チャネル（７０）内で少なくとも部分的に固定するために前記医療用ラインの１部分と係合するように前記ベース（３４）上に配置される請求項２２に記載の固定器具。
【請求項２４】  前記保持装置（３０）と前記粘着性部材（２４）との間に挿入されたフォームパッドをさらに含み、前記粘着性部材がフォームパッドの一方面の少なくとも１部分を被覆する請求項７に記載の固定器具。
【請求項２５】  患者の身体に医療用ラインを保持するための固定器具（８）の製造方法であって、
裏面粘着式フォーム材料のシートにバッキング材料のシートを付着させるステップと、
前記バッキング材料のシートを貫通することなく前記フォーム材料のシートに第１パターンを切り込むステップであって、前記第１パターンが少なくとも部分的にアンカー・パッド（３２）を画定するパターンであるステップと、
前記フォーム材料のシートと前記バッキング材料のシートとの両方を貫通して第２パターンを切り込むステップであって、前記第２パターンが患者の身体に前記固定器具（８）を取り付ける前に前記アンカー・パッド（３２）の粘着性バッキングを露出させるためのはく離層（３８）を画定するパターンであるステップと、
前記医療用ラインの１部分と相互作用させることで前記医療用ラインを前記アンカー・パッド（３２）に相対的な位置に誘導するのに適した位置決め機構を形成するステップと、
粘着材料（２４）のパッチを前記位置決め機構の上面に適用するステップと、
を含む製造方法。
【請求項２６】  患者の身体に医療用具を固定するための方法であって、
固定器具（８）を提供するステップであって、前記固定器具は、当該固定器具の一方面上の第１粘着性部材（２４）と当該固定器具の他方面上の第２粘着性部材とを有し、前記医療用具を前記第１粘着性部材（２４）に相対的な位置に誘導するために前記医療用具と係合するのに適した位置決め機構を含むステップと、
前記第１粘着性部材（２４）の上方に前記医療用具の１部分を配置するように前記医療用具を位置決め機構と係合させるステップと、
前記医療用具の１部分を第１粘着性部材（２４）と係合させることよって前記医療用具を前記固定器具に取外し可能に固定するステップと、
前記固定器具（８）を固定するために患者の身体上に第２粘着性部材を配置するステップと、
を含む患者の身体に医療用具を固定するための方法：
【請求項２７】  前記位置決め機構を前記医療用ラインの１部分と係合させるステップが、前記位置決め機構の少なくとも１本のポスト（２８）を前記医療用具の取付け具（１２）の穴（２０）に挿入するステップを含む請求項２６に記載の方法。
【請求項２８】  前記医療用具を前記位置決め機構と係合させるステップが、前記位置決め機構の受け台（４２）内に前記医療用具の１部分を配置するステップを含む請求項２６に記載の方法。
【請求項２９】  前記医療用具を前記位置決め機構と係合させるステップが、前記固定器具（８）の凹所（７２）内に前記医療用具の交接部分を配置するステップを含む請求項２６に記載の方法。
【請求項３０】  前記医療用具を前記位置決め機構と係合させるステップが、前記保持装置（３０）の受け台（４８）内に前記医療用具の保持されるべき部分を挿入し、柔軟性結合具（５４）に対して前記医療用具の部分を押し付け、前記医療用具の部分の周囲で前記受け台の対向する面（５０）を動かすステップを意味する請求項２６に記載の方法。
【請求項３１】  前記医療用具を前記第１粘着性部材（２４）と係合させるステップが、前記対向する面の少なくとも１部分を被覆する前記第１粘着性部材（２４）とともに、前記受け台（４８）の対向する面（５０）を医療用具と接触させるようにするステップを含む請求項３０に記載の方法。